(57)【要約】【課題】工作機械に使用する伸縮カバーを提供する。【解決手段】伸縮カバーであって、フレーム体２２と左右両側に設置されて可撓性を有する２つの屑阻止板２３とを備えているフレームユニット２と、可動ツールヘッドと共に作動できるカバー３と、備えている。フレーム体２２は、一対の横材２２１と、一対の縦材２２２と、により形成されている。屑阻止板２３は、後方へ曲がって屑阻止部２３３を備えている。カバー３は、複数の第１のカバー板３２１を有し上下方向Ｄ１に沿って伸縮できる一対の第１のカバー板セット３２と、屑阻止板２３に当接する複数の第２のカバー板３３１を有し左右方向Ｄ２に沿って伸縮できる一対の第２のカバー板セット３３と、を備えており、各第２のカバー板３３１は、板本体部と、隣の第２のカバー板３３１の板本体部に当接する屑押し部と、を有する。【選択図】図４
0003224466.tif 000002
【実用新案登録請求の範囲】
【請求項１】
加工屑を除去するために、上下方向及び前記上下方向と略直交する左右方向に沿って移動できる可動ツールヘッドを備えている工作機械に使用する伸縮カバーであって、
周りから囲んで設置スペースを形成することができるように構成されているフレーム体と可撓性を有する材料により構成されている２つの屑阻止板とを備えているフレームユニットと、前記設置スペース内に設置されて前記設置スペースを遮蔽していると共に、前記可動ツールヘッドが設置されている際、前記可動ツールヘッドの移動に伴って作動されて加工屑除去の作用を果たすカバーと、を備えており、
前記フレーム体は、前記左右方向に延伸していると共に、前記上下方向において互いに所定の間隔が開いている一対の横材と、前記上下方向に延伸していて前記一対の横材を連接していると共に、前記左右方向において互いに所定の間隔が開いている一対の縦材と、により枠形になるように形成されており、
２つの前記屑阻止板は、いずれも前記一対の縦材の互いに対面する一側に設置されており、且つ、前記縦材から前記設置スペースにまで延びる幅と、前記一対の横材の間に延伸する長さとを有するように、また、幅方向の先端部が、前記上下方向と前記左右方向と共に略直交する前後方向における後方へ曲がって屑阻止部となるように構成されており、
前記カバーは、
前記可動ツールヘッドが前記前後方向における前方へ突出するように前記可動ツールヘッドを嵌設できるものであって、前記可動ツールヘッドが嵌設されている際に、前記可動ツールヘッドの上記移動と共に移動できる嵌設蓋と、
前記嵌設蓋と前記上下方向における上下両方の前記横材との各間のそれぞれに、前記嵌設蓋と共に前記左右方向に沿って移動できるように設置されており、且つ、前記嵌設蓋の前記上下方向に沿う移動に伴って、前記上下方向に沿って移動する複数の第１のカバー板により構成されていて前記上下方向に沿って伸縮できる一対の第１のカバー板セットと、
前記嵌設蓋及び前記第１のカバー板セットと前記左右方向における左右両方の前記縦材との各間のそれぞれに、前記屑阻止板より前記後方に設置されており、且つ、前記嵌設蓋の前記左右方向に沿う移動に伴って、前記左右方向に沿って移動する複数の第２のカバー板により構成されていて前記左右方向に沿って伸縮できる一対の第２のカバー板セットと、を備えており、
各前記第１のカバー板は、前記上下方向にある幅で前記左右方向に延伸していると共に、前記上下方向にある隣同士と重なるように連接されており、
各前記第２のカバー板は、前記左右方向に幅を有し且つ前記上下方向に延伸していると共に、前記左右方向にある隣同士と重なるように連接されており、それぞれが前記左右方向に延伸している板本体部と、前記板本体部の前記嵌設蓋に向かう端部から、隣の前記第２のカバー板の前記板本体部に当接するまで前記後方へ斜めに延伸している屑押し部と、を有し、且つ、前記嵌設蓋に最も近い１つの前記第２のカバー板以外の前記第２のカバー板が、該前記嵌設蓋に最も近い１つの前記第２のカバー板の前記板本体部の前記前方に向かう面に重なるように構成されており、
また、前記第２のカバー板セットは、各前記第２のカバー板の前記屑押し部が互いに離れている展開状態から、各第２のカバー板が前記屑阻止板へ移動して前記屑押し部が近づくように重なった収縮状態に収縮する際、まだ前記屑阻止板に遮蔽されていない複数の前記第２のカバー板が、前記屑阻止板の前記屑阻止部に当接されながら、前記屑阻止板の前記後方に移動し、且つ、各前記第２のカバー板の前記屑押し部が隣の前記第２のカバー板の前記板本体部に当接されながら移動するように構成されていることを特徴とする伸縮カバー。
【請求項２】
前記嵌設蓋の上方に設置されている前記第１のカバー板セットは、前記嵌設蓋に設置されている１つの前記第１のカバー板以外の前記第１のカバー板が、該前記嵌設蓋に設置されている１つの前記第１のカバー板の上に重なるように構成されており、
前記嵌設蓋の下方に設置されている前記第１のカバー板セットは、前記嵌設蓋に最も遠い１つの前記第１のカバー板以外の前記第１のカバー板が、該前記嵌設蓋に最も遠い１つの前記第１のカバー板の上に重なるように構成されていることを特徴とする請求項１に記載の伸縮カバー。
【請求項３】
前記カバーには、少なくとも１つの通水孔が上方の前記横材に近い箇所に開けられていることを特徴とする請求項１または請求項２に記載の伸縮カバー。
【請求項４】
前記フレームユニットには、２つの案内板が、前記左右方向に互いに向かいながら下方へ延伸するように前記一対の縦材が前記下方の前記横材と連接する場所に設置されていることを特徴とする請求項１〜請求項３のいずれか一項に記載の伸縮カバー。
【請求項５】
前記フレームユニットには、一対のレールが、前記上下方向において互いに所定の間隔が開くと共に、各前記第２のカバー板が当該一対のレールに沿って前記左右方向に摺動できるように各前記第２のカバー板に設置されており、
前記第２のカバー板セットには、前記嵌設蓋の前記左右方向に沿う移動により各前記第２のカバー板を前記左右方向に沿って移動させることができるように、前記嵌設蓋及び各前記第２のカバー板を連接する連接部が設けられており、
各前記第２のカバー板には、前記板本体部の前記縦材に向かう端部から、前記後方へ延伸している摺動部が設けられており、
前記摺動部には、設置槽が、前記レールを収容することができるように形成されており、また、複数の摺動部材が、前記レールに沿って移動できるように前記設置槽に設置構成されていることを特徴とする請求項１〜請求項４のいずれか一項に記載の伸縮カバー。
【請求項６】
前記屑阻止板及び前記第２のカバー板は、同じ材料により構成され、且つ、前記第２のカバー板の厚さが前記屑阻止板の厚さより厚く形成されていることを特徴とする請求項１〜請求項５のいずれか一項に記載の伸縮カバー。
【考案の詳細な説明】
【技術分野】
【０００１】
本考案は、伸縮カバーに関し、特に加工屑を除去するために工作機械に使用する伸縮カバーに関する。
【背景技術】
【０００２】
一般のツールヘッドを有する工作機械で加工する際に、大量の加工屑が生じるので、加工屑が工作機械の隙間に入って工作機械が破損することを防止するために、ツールヘッドに伸縮カバーを着装することがよく見られる。そのように使用する伸縮カバー、例えば特許文献１に記載されている伸縮カバー１は、図１に示されるように、工作機械が備えているツールヘッドに設置されている第１の設置板１１と、該工作機械に設置されている第２の設置板１２と、第１の設置板１１と第２の設置板１２とに間に互いに重なっている複数のカバー板１３と、複数のカバー板１３を連接している可撓部材１４とを備えている。
【０００３】
第１の設置板１１は、ツールヘッドの移動と共に移動できる。複数のカバー板１３は、第２の設置板１２に設置されている１つのカバー板１３の上に重なるように構成されている。また、各カバー板１３は、工作機械が位置している側である内側へ斜めに延伸している屑押し部１３１と、屑押し部１３１から第１の設置板１１へ延伸しているカバー本体１３２と、可撓部材１４と連接されている連接部１３３とを有する。可撓部材１４は、両端それぞれが第１の設置板１１及び第２の設置板１２に固定されている短冊状の帆布である。
【０００４】
ツールヘッドが第１の設置板１１と共に第２の設置板１２へ移動すると、図２に示されるように、複数のカバー板１３が互いの屑押し部１３１が接近しながら第２の設置板１２へ移動する。これにより、カバー板１３にある加工屑を屑押し部１３１により第２の設置板１２へ押して除去することができる。
【先行技術文献】
【特許文献】
【０００５】
【特許文献１】台湾実用新案第Ｍ４２１８５３号明細書
【考案の概要】
【考案が解決しようとする課題】
【０００６】
しかしながら、複数のカバー板１３の移動が左右移動である場合、加工屑が工作機械の左右両側に集中して、水で除去しにくくなり、工作機械の隙間に落ちて工作機械が破損して、使用寿命が短縮する恐れがある。
【０００７】
上記問題点に鑑みて、本考案は、上記の問題点を解消できる伸縮カバーの提供を目的とする。
【課題を解決するための手段】
【０００８】
上記目的を達成すべく、本考案は、加工屑を除去するために、上下方向及び前記上下方向と略直交する左右方向に沿って移動できる可動ツールヘッドを備えている工作機械に使用する伸縮カバーであって、周りから囲んで設置スペースを形成することができるように構成されているフレーム体と可撓性を有する材料により構成されている２つの屑阻止板とを備えているフレームユニットと、前記設置スペース内に設置されて前記設置スペースを遮蔽していると共に、前記可動ツールヘッドが設置されている際、前記可動ツールヘッドの移動に伴って作動されて加工屑除去の作用を果たすカバーと、を備えており、前記フレーム体は、前記左右方向に延伸していると共に、前記上下方向において互いに所定の間隔が開いている一対の横材と、前記上下方向に延伸していて前記一対の横材を連接していると共に、前記左右方向において互いに所定の間隔が開いている一対の縦材と、により枠形になるように形成されており、前記２つの屑阻止板は、いずれも前記一対の縦材の互いに対面する一側に設置されており、且つ、前記縦材から前記設置スペースにまで延びる幅と、前記一対の横材の間に延伸する長さとを有するように、また、幅方向の先端部が、前記上下方向と前記左右方向と共に略直交する前後方向における後方へ曲がって屑阻止部となるように構成されており、前記カバーは、前記可動ツールヘッドが前記前後方向における前方へ突出するように前記可動ツールヘッドを嵌設できるものであって、前記可動ツールヘッドが嵌設されている際に、前記可動ツールヘッドの上記移動と共に移動できる嵌設蓋と、前記嵌設蓋と前記上下方向における上下両方の前記横材との各間のそれぞれに、前記嵌設蓋と共に前記左右方向に沿って移動できるように設置されており、且つ、前記嵌設蓋の前記上下方向に沿う移動に伴って、前記上下方向に沿って移動する複数の第１のカバー板により構成されていて前記上下方向に沿って伸縮できる一対の第１のカバー板セットと、前記嵌設蓋及び前記第１のカバー板セットと前記左右方向における左右両方の前記縦材との各間のそれぞれに、前記屑阻止板より前記後方に設置されており、且つ、前記嵌設蓋の前記左右方向に沿う移動に伴って、前記左右方向に沿って移動する複数の第２のカバー板により構成されていて前記左右方向に沿って伸縮できる一対の第２のカバー板セットと、を備えており、各前記第１のカバー板は、前記上下方向にある幅で前記左右方向に延伸していると共に、前記上下方向にある隣同士と重なるように連接されており、各前記第２のカバー板は、前記左右方向に幅を有し且つ前記上下方向に延伸していると共に、前記左右方向にある隣同士と重なるように連接されており、それぞれが前記左右方向に延伸している板本体部と、前記板本体部の前記嵌設蓋に向かう端部から、隣の前記第２のカバー板の前記板本体部に当接するまで前記後方へ斜めに延伸している屑押し部と、を有し、且つ、前記嵌設蓋に最も近い１つの前記第２のカバー板以外の前記第２のカバー板が、該前記嵌設蓋に最も近い１つの前記第２のカバー板の前記板本体部の前記前方に向かう面に重なるように構成されており、また、前記第２のカバー板セットは、各前記第２のカバー板の前記屑押し部が互いに離れている展開状態から、各第２のカバー板が前記屑阻止板へ移動して前記屑押し部が近づくように重なった収縮状態に収縮する際、まだ前記屑阻止板に遮蔽されていない複数の前記第２のカバー板が、前記屑阻止板の前記屑阻止部に当接されながら、前記屑阻止板の前記後方に移動し、且つ、各前記第２のカバー板の前記屑押し部が隣の前記第２のカバー板の前記板本体部に当接されながら移動するように構成されている。
【考案の効果】
【０００９】
上記構成により、本考案の伸縮カバーは、嵌設蓋に設置されている１つの第２のカバー板以外の第２のカバー板が嵌設蓋に設置されている１つの第２のカバー板の上に重なり、且つ、各第２のカバー板の屑押し部が板本体部の嵌設蓋に向かう端部に形成されていると共に、各第２のカバー板が当接されながら移動することができる屑阻止板を左右両側に設置することにより、各第２のカバー板が左右移動する際に、第２のカバー板にある加工屑が、第２のカバー板の屑押し部及び屑阻止板の屑阻止部によって嵌設蓋側に落とされるので、加工屑が工作機械の左右両側に集中しなくなり、従来の伸縮カバーの欠点を解消できる。
【図面の簡単な説明】
【００１０】
【図１】特許文献１に記載されている伸縮カバーの展開状態を示す部分断面図である。
【図２】上記伸縮カバーの収縮状態を示す部分断面図である。
【図３】本考案の伸縮カバーの部品分解図である。
【図４】上記伸縮カバーの斜視図である。
【図５】上記伸縮カバーの分解図である。
【図６】図４の線VI−VIに沿った上記伸縮カバーの断面図である。
【図７】図６における上記伸縮カバーの部分拡大図である。
【図８】図６における上記伸縮カバーの部分拡大図である。
【図９】図４の線IX−IXに沿った上記伸縮カバーの断面図である。
【図１０】図９における上記伸縮カバーの右側の部分拡大図である。
【図１１】図９における上記伸縮カバーの左側の部分拡大図である。
【図１２】上記伸縮カバーの第２のカバー板セットの部品分解図である。
【図１３】上記伸縮カバーの第２のカバー板の部分断面図である。
【考案を実施するための形態】
【００１１】
以下、図面を参照しながら、本考案の台車の実施形態について詳しく説明する。
【００１２】
図３は本考案の伸縮カバーの部品分解図である。図４は上記伸縮カバーの斜視図である。図５は上記伸縮カバーの分解図である。図６は図４の線VI−VIに沿った上記伸縮カバーの断面図である。図７は図６における上記伸縮カバーの部分拡大図である。図８は図６における上記伸縮カバーの部分拡大図である。図９は図４の線IX−IXに沿った上記伸縮カバーの断面図である。図１０は図９における上記伸縮カバーの右側の部分拡大図である。図１１は図９における上記伸縮カバーの左側の部分拡大図である。図１２は上記伸縮カバーの第２のカバー板セットの部品分解図である。図１３は上記伸縮カバーの部分断面図である。
【００１３】
本考案の伸縮カバーは、加工屑を除去するために、上下方向Ｄ１及び上下方向Ｄ１と略直交する左右方向Ｄ２に沿って移動できる可動ツールヘッドを備えている工作機械に使用する加工屑除去用の伸縮カバーであり、図３に示されるように、フレームユニット２と、カバー３とを備えている。
【００１４】
この実施形態の伸縮カバーは、横形工作機械に使用するためのものである。
【００１５】
フレームユニット２は、図３及び図４に示されるように、周りから囲んで設置スペース２１を形成することができるように構成されているフレーム体２２と、可撓性を有する材料により構成されている２つの屑阻止板２３と、２つの案内板２４と、一対のレール２５とを備えている。
【００１６】
カバー３は、図４に示されるように、設置スペース２１内に設置されて設置スペース２１を遮蔽していると共に、可動ツールヘッドが設置されている際、前記可動ツールヘッドの移動に伴って作動されて加工屑除去の作用を果たすものである。また、カバー３は、嵌設蓋３１と、複数の第１のカバー板３２１及び連接部３２２により構成されている一対の第１のカバー板セット３２と、複数の第２のカバー板３３１及び連接部３３２により構成されている一対の第２のカバー板セット３３とを備えている。
【００１７】
フレーム体２２は、図３に示されるように、左右方向Ｄ２に延伸していると共に、上下方向Ｄ１において互いに所定の間隔が開いている一対の横材２２１と、上下方向Ｄ１に延伸していて一対の横材２２１を連接していると共に、左右方向Ｄ２において互いに所定の間隔が開いている一対の縦材２２２と、により枠形になるように形成されている。且つ、フレーム体２２は、上下方向Ｄ１と左右方向Ｄ２と共に略直交する前後方向Ｄ３に沿って、工作機械に取り付けられるように構成されている。
【００１８】
２つの屑阻止板２３は、図３、図１０、図１１に示されるように、いずれも一対の縦材２２２の互いに対面する一側に設置されており、且つ、縦材２２２から設置スペース２１にまで延びる幅と、一対の横材２２１の間に延伸する長さとを有するように、また、幅方向の先端部が、前後方向Ｄ３における後方へ（即ち、図１０、図１１の下方へ）曲がって屑阻止部２３３となるように構成されている。
【００１９】
具体的に、図３及び図１０に示されるように、右側の屑阻止板２３は、右側の縦材２２２における左側の縦材２２２に面する側に設置されている。また、右側の縦材２２２から設置スペース２１にまで延びる幅を有するように構成されている。そして、左側の屑阻止板２３も右側の屑阻止板２３と対称的に構成されている。
【００２０】
この実施形態において、屑阻止板２３は、図１０に示されるように、縦材２２２に固定されている固定部２３１と、固定部２３１から設置スペース２１に延びる延伸部２３２と、前記後方へ曲がっている屑阻止部２３３により構成されており、且つ、ステンレス鋼により形成された可撓性を有する薄い板である。
【００２１】
２つの案内板２４は、図３及び図４に示されるように、左右方向Ｄ２に互いに向かいながら上下方向Ｄ１における下方へ延伸して略Ｌ字型になるように２つの縦材２２２が前記下方の横材２２１と連接する場所に設置されており、即ち、２つの屑阻止板２３に隣接するように２つの屑阻止板２３の前記下方に設置されている。
【００２２】
この実施形態において、案内板２４は縦材２２２と一体的に形成されているが、他の実施形態として、案内板２４と縦材２２２とは別々で形成された後、組み合わせるように構成することもできる。
【００２３】
一対のレール２５は、図３に示されるように、上下方向Ｄ１において互いに所定の間隔が開くと共に、各第２のカバー板３３１が当該一対のレール２５に沿って左右方向Ｄ２に摺動できるように各第２のカバー板３３１に設置されている。また、一対のレール２５は、両端がそれぞれ２つの縦材２２２に固定されており、且つ、左右方向Ｄ２に延伸し、２つの横材２２１のそれぞれの近くに位置している。
【００２４】
嵌設蓋３１は、図４に示されるように、前記可動ツールヘッドが前後方向Ｄ３における前方へ突出するように前記可動ツールヘッドを嵌設できるものであって、前記可動ツールヘッドが設置されている際に、前記可動ツールヘッドの上下左右移動と共に移動できるものである。
【００２５】
一対の第１のカバー板セット３２は、図４に示されるように、嵌設蓋３１と上下方向Ｄ１における上下両方の横材２２１との各間のそれぞれに、嵌設蓋３１と共に左右方向Ｄ２に沿って移動できるように設置されている。
【００２６】
複数の第１のカバー板３２１は、図４に示されるように、嵌設蓋３１の上下方向Ｄ１に沿う移動に伴って、上下方向Ｄ１に沿って移動するものであり、連接部３２２は、嵌設蓋３１の上下方向Ｄ１に沿う移動により各第１のカバー板３２１を上下方向Ｄ１に沿って移動させることができるように、嵌設蓋３１及び各第１のカバー板３２１を連接している。それにより、一対の第１のカバー板セット３２は、上下方向Ｄ１に沿って伸縮できる。
【００２７】
また、図４〜６に示されるように、カバー３には、少なくとも１つの通水孔３２６が前記上方の横材２２１に近い箇所に開けられている。通水孔３２６が設けられていることにより、水を通水孔３２６から注ぎ入れて加工屑を案内板２４に沿って流すことができるようになる。
【００２８】
この実施形態において、屑阻止板２３及び第１のカバー板３２１は、同じ材料により構成されている。連接部３２２は、可撓性を有する材料により構成された連接ベルトである。
【００２９】
各第１のカバー板３２１は、図６〜８に示されるように、上下方向Ｄ１に幅を有し、且つ、長さが嵌設蓋３１の左右方向Ｄ２における長さと同じになるように左右方向Ｄ２に延伸していると共に、上下方向Ｄ１にある隣同士と重なるように連接されているものであって、屑押し部３２３と、板本体部３２４と、後方延伸部３２５とを有する。
【００３０】
板本体部３２４は、それぞれが上下方向Ｄ１に延伸している。
【００３１】
屑押し部３２３は、板本体部３２４の前記下方に向かう端部から、隣の第１のカバー板３２１の板本体部３２４の前記後方へ斜めに延伸しているものである。
【００３２】
後方延伸部３２５は、板本体部３２４の前記上方に向かう端部から前後方向Ｄ３に沿って前記後方へ延伸して連接部３２２に連接されているものである。
【００３３】
また、嵌設蓋３１の前記上方に設置されている第１のカバー板セット３２は、図７に示されるように、嵌設蓋３１に設置されている１つの第１のカバー板３２１以外の第１のカバー板３２１が、該嵌設蓋３１に設置されている第１のカバー板３２１の板本体部３２４の前記前方に向かう面に重なるように構成されている。
【００３４】
嵌設蓋３１の前記下方に設置されている第１のカバー板セット３２は、図８に示されるように、嵌設蓋３１に最も遠い１つの第１のカバー板３２１以外の第１のカバー板３２１が、該嵌設蓋３１に最も遠い第１のカバー板３２１の板本体部３２４の前記前方に向かう面に重なるように構成されている。
【００３５】
更に、第１のカバー板セット３２は、各第１のカバー板３２１の屑押し部３２３が互いに離れている展開状態（図７）から、各第１のカバー板３２１が横材２２１へ移動して屑押し部３３３が近づくように重なった収縮状態（図８）に収縮する際、各第１のカバー板３２１の屑押し部３３３が隣の第１のカバー板３２１の板本体部３２４に当接されながら移動するように構成されている。それにより、各第１のカバー板３２１が上下移動する際に、各第１のカバー板３２１の板本体部３２４にある加工屑を除去することができる。
【００３６】
この実施形態において、カバー３は、更に摺動枠３４を備えている。摺動枠３４は、図５に示されるように、２つの第１のカバー板セット３２が上下伸縮できるように設置され、嵌設蓋３１が上下移動できるように２つの第１のカバー板セット３２の間に設置されており、且つ、前記上方の左右方向Ｄ２に延伸する部分に上述の通水孔３２６が２つ開けられている。
【００３７】
一対の第２のカバー板セット３３は、図９〜１１に示されるように、嵌設蓋３１及び第１のカバー板セット３２と左右方向Ｄ２における左右両方の縦材２２２との各間のそれぞれに、前後方向Ｄ３において屑阻止板２３よりも前記後方で一対のレール２５に設置されている。また、第２のカバー板セット３３は、嵌設蓋３１の左右方向Ｄ２に沿う移動に伴って、左右方向Ｄ２に沿って移動する複数の第２のカバー板３３１と、嵌設蓋３１の左右方向Ｄ２に沿う移動により各第２のカバー板３３１を左右方向Ｄ２に沿って移動させることができるように、嵌設蓋３１及び各第２のカバー板３３１を連接している連接部３３２とにより構成されていて、左右方向Ｄ２に沿って伸縮できるものである。
【００３８】
この実施形態において、屑阻止板２３及び第２のカバー板３３１は、同じ材料により構成され、且つ、第２のカバー板３３１の厚さが屑阻止板２３の厚さより厚く形成されている。連接部３３２は、可撓性を有する材料により構成された連接ベルトである。
【００３９】
各第２のカバー板３３１は、図９〜１１に示されるように、左右方向Ｄ２に幅を有し、且つ、一対の横材２２１の間に上下方向Ｄ１に沿って延伸する長さを有すると共に、左右方向Ｄ２にある隣同士と重なるように連接されているものであって、屑押し部３３３と、板本体部３３４と、摺動部３３５とを有する。
【００４０】
板本体部３３４は、それぞれが左右方向Ｄ２に延伸している。
【００４１】
屑押し部３３３は、板本体部３３４の嵌設蓋３１に向かう端部から、隣の第２のカバー板３３１の板本体部３３４に当接するまで前記後方へ斜めに延伸しているものである。
【００４２】
摺動部３３５は、板本体部３３４の縦材２２２に向かう端部から前後方向Ｄ３に沿って前記後方へ延伸している。且つ、摺動部３３５には、図１２及び図１３に示されるように、設置槽３３６が、レール２５を収容することができるように形成されており、また、複数の摺動部材３３７が、レール２５に沿って移動できるように設置槽３３６に設置構成されている。
【００４３】
また、各第２のカバー板３３１は、嵌設蓋３１に最も近い１つの第２のカバー板３３１以外の第２のカバー板３３１が、該嵌設蓋３１に最も近い１つの第２のカバー板３３１の板本体部３３４の前記前方に向かう面に重なるように構成されている。
【００４４】
この実施形態において、各第２のカバー板３３１において嵌設蓋３１に最も近い１つの第２のカバー板３３１及び嵌設蓋３１の前記下方に設置されている第１のカバー板セット３２における嵌設蓋３１に最も遠い１つは、摺動枠３４に固定されている。
【００４５】
且つ、設置槽３３６は摺動部３３５の上下端部のそれぞれに形成されている。図１３に示されるように、前記上方にある設置槽３３６には、３つの摺動部材３３７がレール２５の前記上方、前記前方及び前記後方に向かう面のそれぞれに当接するように設置構成されており、前記下方にある設置槽３３６には、２つの摺動部材３３７がレール２５の前記前方及び前記後方に向かう面のそれぞれに当接するように設置構成されている。また、摺動部材３３７は、図５に示されるように、ローラーである。それにより、各第２のカバー板３３１と一対のレール２５とは、安定に設置されて、位置の偏移や突出が起きない。
【００４６】
また、摺動枠３４は、図５に示されるように、第２のカバー板３３１と同じく、一対のレール２５に沿って移動するために、２つの設置槽が形成されていて、複数の摺動部材が該設置槽に設置されている。それにより、摺動枠３４は、一対のレール２５に沿って各第１のカバー板セット３２と嵌設蓋３１と共に左右移動できる。
【００４７】
更に、第２のカバー板セット３３は、各第２のカバー板３３１の屑押し部３３３が互いに離れている展開状態（図１０）から、各第２のカバー板３３１が屑阻止板２３へ移動して屑押し部３３３同士が近づくように重なった収縮状態（図１１）に収縮する際、まだ屑阻止板２３に遮蔽されていない各第２のカバー板３３１の板本体部３３４が、屑阻止板２３の屑阻止部２３３に当接されながら、屑阻止板２３の後方に移動し、且つ、各第２のカバー板３３１の屑押し部３３３が隣の第２のカバー板３３１の板本体部３３４に当接されながら移動するように構成されている。それにより、各第２のカバー板３３１が左右移動する際に、各第２のカバー板３３１の板本体部３３４にある加工屑を除去することもできて、第２のカバー板３３１の板本体部３３４にある加工屑が、第２のカバー板３３１の屑押し部３３３及び屑阻止板２３に押されて嵌設蓋３１側へ落とされる。
【００４８】
即ち、第２のカバー板セット３３は、展開状態及び収縮状態に変換できるように構成されている。展開状態において、図１０に示されるように、各第２のカバー板３３１の屑押し部３３３が互いに離れている。そして、展開状態から図１１に示される収縮状態に変化する際には、常にいずれか１つの第２のカバー板３３１が屑阻止板２３の屑阻止部２３３に当接しているので、各第２のカバー板３３１は順調に屑阻止板２３の後方に移動できる。収縮状態において、図１１に示されるように、各第２のカバー板３３１の屑押し部３３３同士が近づいている。この際、摺動枠３４に固定されている第２のカバー板３３１が屑阻止板２３に当接するように屑阻止板２３の屑阻止部２３３の後ろに収縮される。そして収縮状態から展開状態に変化する際には、上述のように各第２のカバー板３３１の厚さが屑阻止板２３の厚さより厚く、且つ、屑阻止板２３が同じく可撓性を有する材料により構成されているので、各第２のカバー板３３１は順調に屑阻止板２３を押して嵌設蓋３１側へ移動できる。
【００４９】
上記の構成によれば、本考案の伸縮カバーは、各第２のカバー板３３１が左右移動する際に、第２のカバー板３３１の板本体部３３４にある加工屑が、第２のカバー板３３１の屑押し部３３３及び屑阻止板２３の屑阻止部２３３により嵌設蓋３１側へ落とされるので、加工屑が工作機械の左右両側に集中しなくなり、従来の伸縮カバーの欠点を解消できる。
【産業上の利用可能性】
【００５０】
本考案の伸縮カバーは、工作機械に適用でき、特に、上下左右に移動できる可動ツールヘッドを備えている横形工作機械に好適である。
【符号の説明】
【００５１】
２      フレームユニット
３      カバー
２１    設置スペース
２２    フレーム体
２２１  横材
２２２  縦材
２３    屑阻止板
２３１  固定部
２３２  延伸部
２３３  屑阻止部
２４    案内板
２５    レール
３１    嵌設蓋
３２    第１のカバー板セット
３２１  第１のカバー板
３２２、３３２  連接部
３２３、３３３  屑押し部
３２４、３３４  板本体部
３２５、３３５  後方延伸部
３２６  通水孔
３３    第２のカバー板セット
３３１  第２のカバー板
３３６  設置槽
３３７  摺動部材
３４    摺動枠
Ｄ１    上下方向
Ｄ２    左右方向
Ｄ３    前後方向
【図１】
0003224466.tif 000003
【図２】
0003224466.tif 000004
【図３】
0003224466.tif 000005
【図４】
0003224466.tif 000006
【図５】
0003224466.tif 000007
【図６】
0003224466.tif 000008
【図７】
0003224466.tif 000009
【図８】
0003224466.tif 000010
【図９】
0003224466.tif 000011
【図１０】
0003224466.tif 000012
【図１１】
0003224466.tif 000013
【図１２】
0003224466.tif 000014
【図１３】
0003224466.tif 000015